(57)【要約】【課題】テレビの有料チャンネルの視聴において、ユーザーが意図しないまま有料チャンネルを視聴してしまう事態を確実に防止できるようにする。【解決手段】有料チャンネルが選択されるとモニタ１０の表示部１２に課金確認画面を表示し、ユーザーの視聴意思を確認する。そして、モニタ１０から課金機２０に対して、選択された有料チャンネルとユーザーが有料チャンネルの視聴を承認したか否かの情報を送信する。課金機２０は、該情報により、有料チャンネルが選択され、かつ、ユーザーが該有料チャンネルの視聴を承認したと判断すると、カードリーダライタ２３に有効カードが挿入されているか否かを調べ、有効カードが挿入されている場合にのみ、有料チャンネルの視聴を許可しても良い旨をモニタ１０に通知する。これにより、モニタ１０は有料チャンネルの番組を表示部１２に表示する。【選択図】図１
2006325042.tif 000002
【特許請求の範囲】
【請求項１】
テレビと課金機を備えた有料チャンネル視聴システムであって、
前記テレビは、
チャンネルを選択するチャンネル選択手段と、
該チャンネル選択手段により選択されたチャンネルが有料チャンネルであるか否かを判断する判断手段と、
該判断手段により有料チャンネルが選択されたと判断されたとき、ユーザーに該有料チャンネルの視聴の意思を確認するための課金確認画面を表示部に表示させる第１の表示制御手段と、
該課金確認画面に対する応答結果を基に、課金を承認したか否か示す課金承認情報を作成する課金承認情報作成手段と、
前記チャンネル選択手段により選択されたチャンネルを示すチャンネル情報と、前記課金承認情報作成手段により作成された課金承認情報を、前記課金機に送信する通知手段と、
前記課金機から有料チャンネルの視聴の可否を示す視聴可否信号を受信する受信手段と、
該受信手段により受信された視聴可否信号が視聴可に設定されている場合には有料チャンネルの番組を表示部に表示させ、前記視聴可否信号が視聴不可に設定されている場合には有料チャンネルの番組を表示部に表示させない制御を行う第２の表示制御手段とを備え、
前記課金機は、
前記テレビの通知手段から送信されてくるチャンネル情報と課金承認情報を受信する受信手段と、
該受信手段により受信したチャンネル情報を参照して、前記テレビで有料チャンネルが選択されたか否かを判断する第１の判断手段と、
該第１の判断手段により有料チャンネルが選択されていると判断された場合、該有料チャンネルを視聴するために必要な度数が残っているか否かを判断する第２の判断手段と、
該第２の判断手段の判断結果を基にして有料チャンネルの視聴の可否を示す視聴可否信号を生成し、それを前記テレビに送信する通知手段と、
を備えていること、
を特徴とする有料チャンネル視聴システム。
【請求項２】
請求項１記載の有料チャンネル視聴システムであって、
前記課金機は、
有料チャンネルの課金度数を記憶する記憶手段と、
該記憶手段の課金度数を有料チャンネルの視聴時間に応じて減算する度数減算手段を、
備えることを特徴とする。
【請求項３】
請求項１記載の有料チャンネル視聴システムであって、
前記課金機は、
課金度数を書き換え可能なプリペイドカードの挿入及び脱着が可能な装着手段と、
該プリペイドカードが保持している課金度数を書き換え可能な書換手段を、
備えることを特徴とする。
【請求項４】
請求項３記載の有料チャンネル視聴システムであって、
前記テレビは、
前記課金機へ課金承認の課金承認情報を送信したときに、前記課金機から有料チャンネルの視聴を不可とする視聴可否信号を受信した場合には、前記プリペイドカードの装着を促す画面を表示部に表示させる第３の表示制御手段を備えることを特徴とする。
【請求項５】
請求項３記載の有料チャンネル視聴システムであって、
前記課金機の通知手段は、前記プリペイドカードの残度数に課金可能な度数が存在する場合には前記視聴可否信号を視聴可に設定し、前記プリペイドカードの残度数が課金可能な度数に満たない場合には前記視聴可否信号を視聴不可に設定することを特徴とする。
【請求項６】
請求項３記載の有料チャンネル視聴システムであって、
前記課金機の通知手段は、前記プリペイドカードが装着されていない場合には前記視聴可否信号を視聴不可に設定することを特徴とする。
【請求項７】
請求項１記載の有料チャンネル視聴システムであって、
前記テレビの判断手段は、
前記チャンネル選択手段により選択されるチャンネルが有料チャンネルであるか否かを示す情報を格納しているテーブルを備え、
該テーブルを参照して、前記選択されたチャンネルが有料チャンネルであるか否かを判断することを特徴とする。
【請求項８】
請求項１記載の有料チャンネル視聴システムであって、
前記課金機の第１の判断手段は、
前記受信手段により受信されるチャンネル情報が示すチャンネルが有料チャンネルであるか否かを示す情報を格納しているテーブルを備え、
該テーブルを参照することにより、前記チャンネル情報が示すチャンネルが有料チャンネルであるか否かを判断することを特徴とする。
【請求項９】
請求項１記載の有料チャンネル視聴システムであって、
前記チャンネル選択手段は、チャンネルをその前後のチャンネルに移動させる手段を有することを特徴とする。
【発明の詳細な説明】
【技術分野】
【０００１】
本発明は、有料チャンネルの視聴が可能な有料チャンネル視聴システムに関する。
【背景技術】
【０００２】
有料放送は、衛星放送やＣＡＴＶ（Community Antenna Television）などで視聴者に提供されている。有料放送の一形態にＰＰＶ（Pay Per View）というサービスがある。ＰＰＶは、視聴者は番組を観たときだけ料金を払う方式である。
【０００３】
また、最近では、公共放送だけでなく、病院やホテルなどが独自の放送システムを構築し、病室や客室に設置されたＴＶ（テレビジョン）で有料チャンネルを提供している。このような放送システムのTVでは、有料チャンネルと無料チャンネルの両方で番組を提供している。これらの番組には、ＴＶ番組だけでなく、ビデオテープやＤＶＤ（Digital Video Disc）に録画された番組もある。
【０００４】
有料放送においては、視聴者が有料チャンネの番組を視聴した場合、視聴者に対して課金を行う必要がある。この課金を実現するシステムとして、ＴＶ本体に課金機能を有するプリペイドカード装置を接続し、ＴＶとプリペイドカード装置が連動して課金を行うシステムが知られている。このシステムにおいては、プリペイドカードに記録された度数分だけ、有料チャンネルの番組の視聴が許されるようになっている（例えば、特許文献１参照）。
【特許文献１】特許第３４８２６５９号公報
【発明の開示】
【発明が解決しようとする課題】
【０００５】
最近では、ＴＶの電源のオン／オフやチャンネル切替などの操作はリモコンで行われるのが一般的になってきている。特に、病院などでは、入院患者がベッドからリモコンでＴＶのチャンネルを切替する頻度が高い。
【０００６】
一般家庭のＴＶで使用されるリモコンは、直接、チャンネルを選択できるボタンと、チャンネルを一つずつ昇順または降順に選択するボタンの両方を備えたものが標準的であるが、病院向けのＴＶのリモコンでは、入院患者（以下、ユーザーと呼ぶ）のチャンネル選択操作に負担がかからないようにするために、後者のチャンネル選択ボタンのみを備えたものが一般的である。
【０００７】
このようなリモコンでチャンネル選択されるＴＶにおいて、有料チャンネルと無料チャンネルが混在している場合、有料チャンネルを選択する意思がなくても、目的の無料チャンネルを選択するまでに有料チャンネルを選択してしまう場合が生じる。
【０００８】
有料チャンネルの場合、チャンネルを選択した時点で課金を行う形態のものもある。このような形態の有料チャンネルを病院のＴＶ放送システムが提供している場合、ユーザーは、自分が意識しなくても有料チャンネルの番組を視聴したことになり、有料チャンネルの視聴料金を請求されることになる。無料チャンネルを選択操作する過程においては有料チャンネルの番組が放映される時間は短いが、意図しない有料チャンネルの視聴時間の累積により、有料チャンネルの視聴料金も看過できない金額になることもある。
【０００９】
また、有料チャンネルとは知らずに番組を視聴してしまう場合もあり、このような場合には、後で、多額の視聴料金を請求される場合もありうる。
本発明の目的は、ユーザーが意図しない有料チャンネルの視聴を防止できると共に、不正な有料チャンネルの視聴を防止し、有料チャンネルに対する課金を確実に回収できる有料チャンネル視聴システムを実現することである。
【課題を解決するための手段】
【００１０】
本発明の有料チャンネル視聴システムは、テレビと課金機を備えた有料チャンネル視聴システムを前提とする。
本発明の第１態様の有料チャンネル視聴システムは、前記テレビは、チャンネルを選択するチャンネル選択手段と、該チャンネル選択手段により選択されたチャンネルが有料チャンネルであるか否かを判断する判断手段と、該判断手段により有料チャンネルが選択されたと判断されたとき、ユーザーに該有料チャンネルの視聴の意思を確認するための課金確認画面を表示部に表示させる第一の表示制御手段と、該課金確認画面に対する応答結果を基に、課金を承認したか否か示す課金承認情報を作成する課金承認情報作成手段と、前記チャンネル選択手段により選択されたチャンネルを示すチャンネル情報と、前記課金承認情報作成手段により作成された課金承認情報を、前記課金機に送信する通知手段と、前記課金機から有料チャンネルの視聴の可否を示す視聴可否信号を受信する受信手段と、該受信手段により受信された視聴可否信号が視聴可に設定されている場合には有料チャンネルの番組を表示部に表示させ、前記視聴可否信号が視聴不可に設定されている場合には有料チャンネルの番組を表示部に表示させない制御を行う第２の表示制御手段とを備え、  前記課金機は、前記テレビの通知手段から送信されてくるチャンネル情報と課金承認情報を受信する受信手段と、該受信手段により受信したチャンネル情報を参照して、前記テレビで有料チャンネルが選択されたか否かを判断する第１の判断手段と、該第１の判断手段により有料チャンネルが選択されていると判断された場合、該有料チャンネルを視聴するために必要な度数が残っているか否かを判断する第２の判断手段と、該第２の判断手段の判断結果を基にして有料チャンネルの視聴の可否を示す視聴可否信号を生成し、それを前記テレビに送信する通知手段とを備えていることを特徴とする。
【００１１】
第１態様の有料チャンネル視聴システムによれば、ユーザーが有料チャンネルの視聴を承認し、かつ、有料チャンネルを視聴するために必要な度数が残っている場合にのみ、有料チャンネルの番組がテレビに表示されるので、不正な有料チャンネルの視聴を防止できると共に、有料チャンネルの視聴料金を確実に回収できる。
【００１２】
本発明の第２態様の有料チャンネル視聴システムは、上記第１態様の有料チャンネル視聴システムにおいて、前記課金機は、有料チャンネルの課金度数を記憶する記憶手段と、該記憶手段の課金度数を有料チャンネルの視聴時間に応じて減算する減算手段を備えることを特徴とする。
【００１３】
第２態様の有料チャンネル視聴システムによれば、課金度数の不正な書き換えなどを防止できる。
本発明の第３態様の有料チャンネル視聴システムは、上記第1態様の有料チャンネル視聴システムにおいて、前記課金機は、課金度数を書き換え可能なプリペイドカードの挿入及び脱着が可能な手段と、該プリペイドカードが保持している課金度数を書き換え可能な書換手段を備えることを特徴とする。
【００１４】
第３態様の有料チャンネル視聴システムによれば、有料チャンネルの視聴の浪費を防止できる。
本発明の第４態様の有料チャンネル視聴システムは、上記第３態様の有料チャンネル視聴システムにおいて、前記テレビは、前記課金機へ課金承認の課金承認情報を送信したときに、前記課金機から有料チャンネルの視聴を不可とする視聴可否信号を受信した場合には、前記プリペイドカードの挿入を促す画面を表示部に表示させる第３の表示制御手段を備えことを特徴とする。
【００１５】
第４態様の有料チャンネル視聴システムによれば、ユーザーが有料チャンネルの視聴を承認したにもかかわらず、課金機にプリペイドカードを装着していない場合、ユーザーにプリペイドカードを挿入するよう注意を促すことができる。
【００１６】
本発明の第５態様の有料チャンネル視聴システムは、上記第３態様の有料チャンネル視聴システムにおいて、前記課金機の通知手段は、前記プリペイドカードの残度数に課金可能な度数が存在する場合には前記視聴可否信号を視聴可に設定し、前記プリペイドカードの残度数が課金可能な度数に満たない場合には前記視聴可否信号を視聴不可に設定することを特徴とする。
【００１７】
第５態様の有料チャンネル視聴システムによれば、課金機に挿入されているプリペイドカードの残度数が必要度数に満たなかった場合になった場合、テレビの有料チャンネルの放映を直ちに中止できる。
【００１８】
本発明の第６態様の有料チャンネル視聴システムは、上記第３態様の有料チャンネル視聴システムにおいて、前記課金機の通知手段は、前記プリペイドカードが装着されていない場合には、前記視聴可否信号を視聴不可に設定することを特徴とする。
【００１９】
第６態様の有料チャンネル視聴システムによれば、課金機にプリペイドカードが装着されていない場合、テレビの有料チャンネルでの放映を防止できる。
本発明の第７態様の有料チャンネル視聴システムは、上記第１態様の有料チャンネル視聴システムにおいて、前記テレビの判断手段は、前記チャンネル選択手段により選択されるチャンネルが有料チャンネルであるか否かを示す情報を格納しているテーブルを備え、該テーブルを参照して、前記選択されたチャンネルが有料チャンネルであるか否かを判断することを特徴とする。
【００２０】
第７態様の有料チャンネル視聴システムによれば、テーブルの設定変更により、テレビの各チャンネルについて有料チャンネルか無料チャンネルかの設定を自由に変更できる。
本発明の第８態様の有料チャンネル視聴システムは、上記第１態様の有料チャンネル視聴システムにおいて、前記課金機の第１の判断手段は、前記受信手段により受信されるチャンネル情報が示すチャンネルが有料チャンネルであるか否かを示す情報を格納しているテーブルを備え、該テーブルを参照することにより、前記チャンネル情報が示すチャンネルが有料チャンネルであるか否かを判断することを特徴とする。
【００２１】
第８態様の有料チャンネル視聴システムによれば、テーブルの設定を変更することにより、テレビの有料チャンネルの設定変更に即時に対処できる。
本発明の第９態様の有料チャンネル視聴システムは、上記第１態様の有料チャンネル視聴システムにおいて、前記チャンネル選択手段は、チャンネルをその前後のチャンネルに移動させる手段を有することを特徴とする。
【００２２】
第９態様の有料チャンネル視聴システムによれば、所望の無料チャンネルを選択する途中で有料チャンネルを選択せざるをえない場合でも、有料チャンネルの無料視聴を防止できる。
【発明の効果】
【００２３】
本発明によれば、有料チャンネルが選択された場合に、ユーザーからその有料チャンネルを視聴する意思の確認を得、かつ、有料チャンネルを視聴するために必要な度数が残っていることを確認してから、有料チャンネルでの放映を開始する。したがって、ユーザーが自分の意図とは無関係に有料チャンネルの番組を視聴してしまう事態を防止できる。さらに、不正な有料チャンネルの視聴を防止できると共に、有料チャンネルの視聴料金をユーザーから確実に回収できる。
【発明を実施するための最良の形態】
【００２４】
以下、図面を参照しながら、本発明の実施形態を説明する。
図１は、本発明の一実施形態である課金機能付きＴＶのシステム構成を示す図である。
同図に示す課金機能付きＴＶは、モニタ１０、課金機２０及びリモコン３０などで構成されており、複数のチャンネルの視聴が可能になっている。該複数のチャンネルは、有料番組が放映される有料チャンネルと無料番組が放映される無料チャンネルに分かれている。
【００２５】
モニタ１０は、表示制御部１１、表示部１２、ＩＦ（インターフェース）制御部１３、電源スイッチ１４、入力切換スイッチ１５、映像信号入力端子１６、課金機用インターフェース１７及びリモコン用インターフェース１８を備えている。
【００２６】
モニタ１０は、ＴＶモードとビデオモードとＰＣモードの３つのモードに切換可能であり、ＴＶモードにおいてはＴＶ番組の放映画面を表示するディスプレイとして使用され、ビデオモードにおいてはビデオの再生画面を表示するディスプレイとして使用され、ＰＣモードにおいては不図示のＰＣ（パーソナルコンピュータ）のディスプレイとして使用される。
【００２７】
電源スイッチ１４は、モニタ１０の主電源のオン／オフを行うためのスイッチである。
入力切換スイッチ１５は、モニタ１０を放送番組表示画面またはＰＣモニタ画面に切り換るためのスイッチである。
【００２８】
表示部１２は、ＣＲＴ（Cathode Ray Tube）ディスプレイまたは液晶ディスプレイなどの表示デバイスである。
表示制御部１１は、電源スイッチ１４及び入力切換スイッチ１５と接続されており、モニタ１０の電源回路（不図示）の制御や、表示部１２に表示される画像をＴＶ番組もしくはビデオ番組の映像、またはＰＣのモニタ画像へ切換る制御を行う。
【００２９】
ＩＦ制御部１３は、映像信号入力端子１６、課金機用インターフェース１７及びリモコン用インターフェース１８と接続されており、それらのインターフェースを介して映像信号の入力の制御、さらには、課金機２０やリモコン３０との信号の入出力を制御する。
【００３０】
映像信号入力端子１６は、ビデオの映像信号やＴＶ放送の番組映像が入力される端子であり、ＶＴＲやＴＶのアンテナなどとケーブルで接続される。
課金機用インターフェース１７は、制御信号線４０を介して課金機２０のモニタ用インターフェース２７と接続され、その制御信号線４０を介してモニタ用インターフェース２７との間で「チャンネル情報」、「課金承認ｂｉｔ」及び「視聴可否信号」などの授受を行うインターフェースである。
【００３１】
課金機２０は、通信ＩＦ制御部２１、課金制御部２２、ハードウェアタイマ２２ａ、カードリーダライタ２３、表示制御部２４、残度数表示部２５、モニタ用インターフェース２７及びカード取り出しスイッチ２９を備えている。
【００３２】
通信ＩＦ制御部２１は、モニタ用インターフェース２７を介して、モニタ１０との間で「チャンネル情報」、「課金承認ｂｉｔ」及び「視聴可否信号」などの授受を行う。
課金制御部２２は、表示制御部２４、カードリーダライタ２３及びカード取り出しスイッチ２９と接続されている。課金制御部２２は、カードリーダライタ２３に所定のコマンドを送信して、カードリーダライタ２３に装着されたカード（磁気カードやＩＣカードなどのプリペイドカード）に記憶されている「課金度数」を更新（減算）する。また、表示制御部２４を介してカードリーダライタ２３に装着されているカードの最新の課金度数（残度数）を残度数表示部２５に表示させる。また、カード取り出しスイッチ２９が操作されたとき、その操作信号を入力して、カード取り出しスイッチ２９の操作を検出する。そして、カードリーダライタ２３に対して所定のコマンドを送り、カードリーダライタ２３に装着されているカードを、カードリーダライタ２３から排出させる。
【００３３】
カードリーダライタ２３は、装着口に挿入されるカードに対して「課金度数」のリード／ライトを行う。また、課金制御部２２からの指示に応じて、装着口に装着されているカードを排出する。
【００３４】
表示制御部２４は、課金制御部２２から残度数データを受け取り、その残度数を表示部２５に表示させる。
表示部２５は、例えば、７セグメント表示部であり、表示制御部２４の制御を受けて、カードリーダライタ２３に装着されているカードの残度数を表示する。
【００３５】
ハードウェアタイマ２２ａは、課金機が保持している日時情報をカウントするタイマーである。
モニタ用インターフェース２７は、通信ＩＦ制御部２１の制御を受けて、制御信号線４０を介してモニタ１０の課金機用インターフェース１７との間で「チャンネル情報」、「課金承認ｂｉｔ」及び「視聴可否信号」の授受を行うインターフェースである。
【００３６】
カード取り出しスイッチ２９は、カードリーダライタ２３に装着されているカードを取り出すためのスイッチである。カード取り出しスイッチ２９は、操作されると、操作信号を課金制御部２２に出力する。
【００３７】
リモコン３０は、モニタ１０の表示部１２に表示される番組のチャンネルを選択するためのボタンや不図示のスピーカーの音量を制御するためのボタン等を備えている。リモコン３０は、モニタ１０とケーブルによって接続されている。
【００３８】
図２は、図１の制御信号線４０を流れる制御信号を説明する図である。
図２において、右方向の矢印はモニタ１０から課金機２０への送信を示し、左方向の矢印は課金機２０からモニタ１０への送信を示している。
【００３９】
同図（ａ）に示すように、モニタ１０から課金機２０へは、制御信号線４０を介して「チャンネル情報」と「課金承認ｂｉｔ」が送られる。また、同図（ｂ）に示すように、課金機２０からモニタ１０へは、制御信号線４０を介して「視聴可否信号」が送られる。
【００４０】
チャンネル情報は、リモコン３０によって選択されたチャンネルを示す情報である。
課金承認ｂｉｔは、課金機２０が課金を行ってよいか否かを指示する１ビットの２値情報であり、オン（“１”）であれば課金の承認を、オフ（“０”）であれば課金の否認を示す。
【００４１】
視聴可否信号は、ユーザーに、現在選択されている有料チャンネルの番組の視聴を許可するか否かを示す信号であり、視聴可否信号が“可”であれば、モニタ１０にユーザーが選択した有料チャンネルの番組が表示され、“不可”であれば、モニタ１０にはユーザーが選択した有料チャンネルの課金確認画面が表示される。
【００４２】
図３は、図１に示すモニタ１０の表示制御部１１のハードウェア構成を説明するブロック図である。尚、図３において、図１と同じ構成要素には同じ符号を付与している。
表示制御部１１は、ＣＰＵ１１１、ＲＯＭ１１２、ＲＡＭ１１３及び映像処理部１１４を備えている。
【００４３】
ＣＰＵ１１１は、ＲＯＭ１１２、ＲＡＭ１１３、ＩＦ制御部１３、電源スイッチ１４、入力切換スイッチ１５、及び映像処理部１１４に接続されている。
ＲＯＭ１１２は、ＣＰＵ１１１によって実行されるプログラム（ファームウェア）１１２ａを格納している。
【００４４】
ＲＡＭ１１３は、表示可否フラグ１１３ａ、上記リモコン３０によって選択されたチャンネル情報を記憶する領域１１３ｂ（以後、便宜上、選択チャンネル情報１１３ｂと記載）、上記課金承認ｂｉｔとして使用される領域１１３ｃ（以後、便宜上、課金承認ｂｉｔ１１３ｃと記載）、チャンネル情報テーブル１１３ｄ、及びＣＰＵ１１１がファームウェア１１２ａを実行する際に作業領域として使用する領域などを有している。
【００４５】
表示可否フラグ１１３ａは、有料チャンネルの番組のモニタ１０への表示を許可するか否かを示すフラグであり、課金機２０から受信する視聴可否信号が“可”であれば“表示可”に、“不可”であれば“表示不可”に設定される。
【００４６】
チャンネル情報テーブル１１３ｄは、モニタ１０がＴＶとして使用される際に、該ＴＶの各チャンネルについて、有料チャンネルであるかまたは無料チャンネルであるかの情報を格納しているテーブルである。有料チャンネルであるか無料チャンネルであるかの設定は、ユーザー毎に変更可能になっている。この変更は、ＣＰＵ１１１によって行われる。
【００４７】
ＣＰＵ１１１は、ＲＯＭ１１２に格納されたファームウェア１１２ａを実行することによって、後にフローチャートを用いて説明する処理を行う。ＣＰＵ１１１には、電源スイッチ１４と入力切換スイッチ１５が接続されており、これらのスイッチが操作されると、その操作が行われたことを示す信号が割り込み信号として入力される。
【００４８】
ＣＰＵ１１１は、ＩＦ制御部１３を介して課金機２０との間で、上述した図２に示す「チャンネル情報」、「課金承認ｂｉｔ」の送信、「視聴可否信号」の受信を行う。また、リモコン３０の操作情報もＩＦ制御部１３を介して入力する。
【００４９】
ＣＰＵ１１１は、リモコン３０により選択されているチャンネルを常時監視しており、リモコン３０により選択された最新のチャンネルを映像処理部１１４に通知する。
映像処理部１１４は、表示部１２を制御して、表示部１２の画面にリモコン３０によって現在選択されているチャンネルの番組の映像を表示させる。
【００５０】
図４は、図３のチャンネル情報テーブル１１３ｄの内部構成を示す図である。
同図に示すように、チャンネル情報テーブル１１３ｄは、チャンネル１〜チャンネルｎの各チャンネルについて、個別に、「有料チャンネル」であるかまたは「無料チャンネル」であるかの情報を格納している。また、さらに、「ビデオ」の放映チャンネルについて、そのチャンネルが「無料チャンネル」であるという情報を格納している。
【００５１】
図５は、図１に示す課金機２０の課金制御部２２のハードウェア構成を説明するブロック図である。
課金制御部２２は、ＣＰＵ２２１、ＲＯＭ２２２及びＲＡＭ２２３を備えている。
【００５２】
ＣＰＵ２２１は、ＲＯＭ２２２、ＲＡＭ２２３、ＩＦ制御部１３、カード取り出しスイッチ２９、表示制御部２４及びカードリーダライタ２３に接続されている。
ＲＯＭ２２２は、ＣＰＵ２２１によって実行されるプログラム（ファームウェア）２２２ａを格納している。ＣＰＵ２２１は、ＲＯＭ２２２に格納されたファームウェア２２２ａを実行することによって、後にフローチャートを用いて説明する処理を行う。
【００５３】
ＲＡＭ２２３は、課金済みフラグテーブル２２３ａ、チャンネル情報テーブル２２３ｂ、カード残度数２２３ｃ、選択中チャンネル情報２２３ｄ、受信チャンネル情報２２３ｅ、及びＣＰＵ２２１がファームウェア２２２ａを実行する際に作業領域として使用する領域等を有している。
【００５４】
課金済みフラグテーブル２２３ａは、ＴＶモードでの１〜ｎのチャンネルの各チャンネルとビデオモードでのビデオ放映チャンネルについて、個別に、課金済であるか否かを示す課金フラグを記憶しているテーブルである。
【００５５】
チャンネル情報テーブル２２３ｂは、モニタ１０のチャンネル情報テーブル１１３ｄと同様に、ＴＶモードでの１〜ｎのチャンネルの各チャンネルとビデオモードでのビデオ放映チャンネルについて、個別に、有料チャンネルであるか無料チャンネルであるかの情報を格納しているテーブルであり、情報の設定内容は、モニタ１０のチャンネル情報テーブル１１３ｄと同様となっている。チャンネル情報テーブル２２３ｂのチャンネル情報も、モニタ１０のチャンネル情報テーブル１１３ｄと同様に、ユーザー毎に変更可能であり、その変更は、ＣＰＵ２２１によって行われる。チャンネル情報テーブル２２３ｂは、有料チャンネルについては、チャンネル情報以外に、その課金度数も記憶している。
【００５６】
カード残度数２２３ｃは、カードリーダライタ２３に装着されているカードの残度数を記憶するメモリ領域である。カード残度数２２３ｃは、有料チャンネルの視聴料金に応じてＣＰＵ２２１によって更新される。
【００５７】
選択中チャンネル情報２２３ｄは、モニタ１０から前回受信したチャンネル情報を格納するメモリ領域である。受信チャンネル情報２２３ｅは、モニタ１０から新たに受信したチャンネル情報を格納するメモリ領域である。
【００５８】
ＣＰＵ２２１は、ＩＦ制御部１３を介してモニタ１０との間で、図２に示す「チャンネル情報」、「課金承認ｂｉｔ」の受信、及び「視聴可否信号」の送信を行う。また、ＣＰＵ２２１は、カード取り出しスイッチ２９の操作信号を入力し、カード取り出しスイッチ２９の操作を検出する。そして、カード取り出しスイッチ２９の操作を検出した場合には、カードリーダライタ２３にイジェクト・コマンドを送信する。カードリーダライタ２３は、イジェクト・コマンドを受信すると、装着されているカードを排出する。
【００５９】
ＣＰＵ２２１は、また、カードリーダライタ２３に装着されているカードの度数のリード／ライトを行い、カードの度数が“０”になったか否かの判断や、カードの度数の書き換えを行う。
【００６０】
また、さらに、ＣＰＵ２２１は、表示制御部２４にカードリーダライタ２３に装着されているカードの度数（残度数）の情報を送る。表示制御部２４は、ＣＰＵ２２１から受け取った該残度数情報を基に、図１の残度数表示部２５にカードリーダライタ２３に装着されているカードの残度数を表示させる。
【００６１】
図６は、図５の課金済みフラグテーブル２２３ａの構成図である。
図６に示すように、課金済みフラグテーブル２２３ａは、ＴＶモードにおける１〜ｎの各チャンネルとビデオモードの放映チャンネルの個々について、課金済みフラグの状態を格納している。課金済みフラグは、課金されていない場合にはオフ（ＯＦＦ）に、課金されている場合にはオン（ＯＮ）に設定される。全てのチャンネルの課金済みフラグは、予め設定されている時間（例えば、１日や１分など）が経過する毎に、ＣＰＵ２２１により自動的に初期値（オフ）にリセットされる。
【００６２】
図６に示す例では、ＴＶモードにおける３チャンネルの課金済みフラグがオンに設定されており、他のチャンネルは全てオフに設定されている。
図７は、図５のチャンネル情報テーブル２２３ｂの構成図である。
【００６３】
図７に示すように、ＴＶモードにおける１〜ｎの各チャンネルとビデオモードにおけるビデオ放映チャンネルについて、個別に、「有料チャンネルまたは無料チャンネルのいずれであるかを示す情報」と「課金度数」を格納している。
【００６４】
同図に示す例では、チャンネル２とチャンネル３が有料チャンネルであり、それぞれ、課金度数として“１００”と“２００”が設定されている。無料チャンネルであるチャンネル１やビデオ放映チャンネルなどについては、課金度数として“０”が設定されている。
【００６５】
図８は、図１のモニタ１０の外観図である。
モニタ１０の表示部１２は、前方の表面に配置されており、該表面のほぼ全体を占めている。モニタ１０の前方の右下には、入力切換スイッチ１５と電源スイッチ１４が配設されている。これらのスイッチは、いずれも、押しボタン型のスイッチである。
【００６６】
図９は、図１のリモコン３０の外観図である。
リモコン３０は、モニタ電源ボタン３１、入力切換ボタン３２、カーソルボタン３３、チャンネルボタン３４、音量ボタン３５、Ｆ１ボタン３６及びＦ２ボタン３７を備えている。
【００６７】
モニタ電源ボタン３１は、モニタ１０の電源をオン／オフするためのボタンである。
入力切換ボタン３２は、モニタ１０の表示画面をＴＶ／ビデオ／ＰＣの各モードに切換るためのボタンである。
【００６８】
カーソルボタン群３３は、モニタ１０をＰＣモードにおいてＰＣのディスプレイとして使用する際に、マウスカーソルを移動するためのボタン群であり、マウスカーソルを左右上下方向へ移動させる４個のカーソルボタンから構成されている。
【００６９】
チャンネルボタン３４は、チャンネルアップボタン３４ｕとチャンネルダウンボタン３４ｄから構成される。チャンネルアップボタン３４ｕは、操作するごとにＴＶのチャンネルが１つづつ上がるボタンであり、チャンネルダウンボタン３４ｄは操作するごとにＴＶのチャンネルが１つづつ下がるボタンである。このチャンネルボタン３４は、ＰＣモードにはマウスの左ボタンとして機能する。
【００７０】
音量ボタン３５は、音量アップボタン３５ｕと音量ダウンボタン３５ｄの２つから構成されており、音量アップボタン３５ｕを操作する毎にモニタ１０の音量が一定レベルづつ増加し、音量ダウンボタン３５ｄを操作する毎にモニタ１０の音量が一定レベルづつ減少する。
【００７１】
Ｆ１ボタン３６は、ＰＣモード時にアプリケーション用ボタンとして使用される。
Ｆ２ボタン３７は、ＴＶモード時には「課金承認ボタン」として使用される。また、ＰＣモード時にはアプリケーション用ボタンとして使用される。
【００７２】
図１０は、課金機２０の外観の一例を示す図である。
同図に示す課金機２０は横置きタイプであり、装置の前面の左方にカード取り出しスイッチ２９と残度数表示部２５が配設されている。また、装置前面に左側にはカードを挿入するための挿入口（カード挿入口）２６が配設されている。このカード挿入口２６にカードを挿入することによって、カードが課金機２０に装着される。
【００７３】
図１１は、課金機２０の他の外観例を示す図である。
同図に示す課金機２０は縦置きタイプであり、装置前面の下方に残度数表示部２５とカード取り出しスイッチ２９が配設されている。また、装置前面の上側にカードを挿入するための挿入口（カード挿入口）２６が設けられている。
【００７４】
次に、上記構成の実施形態の動作を説明する。
図１２は、モニタ１０の処理の要部を示すフローチャートである。
同図に示すフローチャートの処理は、ＣＰＵ１１１がＲＯＭ１１２に格納されたファームウェア１１２ａを実行することによって行われる。
【００７５】
まず、リモコン３０によりチャンネル（ＣＨ）選択が行われると（ステップＳ１）、その選択されたチャンネルを、ＲＡＭ１１３の選択チャンネル情報１１３ｂに記憶する（ステップＳ２）。そして、課金承認ｂｉｔ１１３ｃをオフに設定する（ステップＳ３）。
【００７６】
続いて、上記選択されたチャンネルが無料チャンネルであるか判別し（ステップＳ４）、無料チャンネルであればステップＳ１２に進み、無料チャンネルでなければステップＳ５に進む。ステップＳ４での判断は、ＣＰＵ１１１がチャンネル情報テーブル１１３ｄを参照することによって行われる。これは、後述するステップＳ１３の判断処理においても同様である。
【００７７】
ステップＳ５においては、表示可否フラグ１１３ａが“表示可”に設定されているか判別し、“表示可”に設定されていなければステップＳ６に進み、“表示可”に設定されていればステップＳ１２に進む。
【００７８】
ステップＳ６においては、ユーザーに対して、上記選択された有料チャンネルでの課金を承認するか問い合わせる「課金確認画面」を表示する。
図１４（ａ）は、上記課金確認画面の一例を示す図である。
【００７９】
同図（ａ）に示す課金確認画面６０では、１２チャンネルについて、“このチャンネル（１２）は有料です。課金しますか？”という問い合わせメッセージを表示すると共に、課金してもよい場合（はい）にはＦ２ボタンを押下する、課金を拒否する場合（いいえ）にはチャンネルを変更するようにという案内メッセージが表示されている。
【００８０】
続いて、Ｆ２ボタンが押下されたか判断し（ステップＳ７）、押下されていればステップＳ９に進み、押下されていなければステップＳ８に進む。
ステップＳ８では、リモコン３０によりチャンネルを移動（変更）する操作が行われる。そして、ステップＳ１に戻る。
【００８１】
ステップＳ９では、課金承認ｂｉｔ１１３ｃをオンに設定する。そして、表示可否フラグ１１３ａが“表示可”に設定されているか判断し（ステップＳ１０）、“表示可”に設定されていなければステップＳ１１に進み、“表示可”に設定されていればステップＳ１２に進む。
【００８２】
ステップＳ１１では、モニタ１０にカードリーダライタ２３にカードを挿入（装着）するように促す「カード挿入画面」を表示し、その後、ステップＳ１０に戻る。
図１４（ｂ）は、上記カード挿入画面の一例を示す図である。
【００８３】
同図（ｂ）に示すカード挿入画面７０では、“課金カードを確認してください。”という警告メッセージが表示される。ユーザーは、この警告メッセージにしたがって、カードリーダライタ２３のカード挿入口２６にカードが挿入（装着）されているか確認し、カードが挿入されていれば、さらに、残度数表示部２５の表示を確認し、必要度数が残っていることを確認する。そして、いずれかを満たしていなければ、新たなカードをカード挿入口２６に挿入する。
【００８４】
後述するように、課金機２０のカード挿入口２６に残度数が“０”でないカードを挿入した場合には、課金機２０からモニタ１０へ“可”に設定された視聴可否信号が送信され、モニタ１０の表示制御部１１は、この視聴可否信号を受信すると、表示可否フラグ１１３ａを“表示可”に設定する。
【００８５】
このようにして、課金機２０のカード挿入口２６にカードが挿入されると、ステップＳ１０で表示可否フラグ１１３ａが“表示可”であると判断され、ステップＳ１２に進む。
ステップＳ１２では、無料チャンネルまたは有料チャンネルでＴＶ（ビデオ）番組を表示する。また、有料チャンネルを表示する場合に、その表示時間の測定を開始する。この表示時間の測定は、ＲＡＭ１１３内の作業領域を利用してソフトウェア処理により行われる。
【００８６】
ステップＳ１２の処理を行っている間、リモコン３０の操作によりチャンネルが移動すると（ステップＳ１７）、ステップＳ１に戻る。
一方、チャンネル移動操作が行われない場合には、現在選択されているチャンネルが無料チャンネルであるか判断し（ステップＳ１３）、無料チャンネルであればステップＳ１２に戻り、その無料チャンネルの番組の表示を続行する。
ステップＳ１３で、現在選択されているチャンネルが有料チャンネルであると判断すると、表示可否フラグ１１３ａが“表示可”に設定されているか判断し（ステップＳ１４）、“表示可”に設定されていればステップＳ１２に戻り、有料チャンネルの番組の表示を続行する。
一方、ステップＳ１４で表示可否フラグ１１３ａが“表示可”に設定されていなければ、課金承認ｂｉｔ１１３ｃをオフに設定（リセット）する（ステップＳ１５）。そして、ステップＳ１２で測定を開始した有料チャンネルの表示時間が５秒未満であるか否かを判定し（ステップＳ１６）、５秒未満であればステップＳ６に戻り、５秒以上であればステップＳ１１に戻る。
ステップＳ１６での判定は、有料チャンネルの表示時間が５秒未満であれば、上述した「課金確認画面」に対して、ユーザーがまだ応答していないとみなすものであり、５秒以上であれば、上述した「課金確認画面」に応答してＦ２ボタンを押下したものの、その後、カードの残度数が必要数に満たなくなったとみなすものである。
【００８７】
このように、ユーザーが有料チャンネルを選択したものの、課金条件（「課金承認の意思を示すＦ２ボタンの押下操作を実行している」、かつ、「課金機２０に課金度数が充分にあるカードを挿入している」）を満たしていない場合には、課金承認ｂｉｔ１１３ｃがオフにリセットされ、モニタ１０の表示部１２には有料チャンネルの番組放映時間に応じて、「課金確認画面」または「カード挿入画面」が表示される。
【００８８】
以上のように、無料チャンネルの場合には、チャンネルを選択すると直ちに番組を視聴できるが、有料チャンネルの場合には、課金による視聴を確認し、かつ、課金機２０に有効なカード（残度数が充分にあるカード）を挿入した場合にのみ、番組を視聴できる。
【００８９】
図１３は、モニタ１０のＣＰＵ１１１がＲＯＭ１１２に格納されたファームウェア１１２ａを実行することにより行われる「繰り返し処理」を示すフローチャートである。
同図に示す「繰り返し処理」は、モニタ１０の電源がオンとなっている間、常時、実行される。
【００９０】
まず、選択チャンネル情報１１３ｂと課金承認ｂｉｔ１１３ｃの状態を課金機２０に送信する（ステップＳ２１）。そして、上記送信に対する課金機２０からの応答を受信する（ステップＳ２２）。
【００９１】
上記応答で受信した視聴可否信号が“可”に設定されているか判断し（ステップＳ２３）、“可”に設定されていれば表示可否フラグ１１３ａを“表示可”に設定する（ステップＳ２４）。一方、ステップＳ２３で視聴可否信号が“可”に設定されていなければ、表示可否フラグ１１３ａを“表示不可”に設定する（ステップＳ２５）。
【００９２】
このように、課金機２０に対して、絶えず、選択チャンネル情報１１３ｂと課金承認ｂｉｔ１１３ｃの最新の状態を送信して、ユーザーが選択している最新のチャンネルとユーザーが課金を承認したか否かの情報を通知する。
【００９３】
図１５及び図１６は、課金機２０のＣＰＵ２２１がＲＯＭ２２２に格納されたファームウェア２２２ａを実行することによって行われる処理を示すフローチャートである。
両図に示すフローチャートを参照しながら、課金機２０で行われる処理を説明する。
【００９４】
まず、モニタ１０から送信されてきた「チャンネル情報（選択チャンネル情報１１３ｂ）」と「課金承認ｂｉｔ（課金承認ｂｉｔ１１３ｃ）」を受信する（ステップＳ３１）。
次に、受信したチャンネル情報に設定されているチャンネル（以下、便宜上、受信チャンネルと呼ぶ）をキーとしてチャンネル情報テーブル２２３ｂを検索して、上記受信チャンネルが無料チャンネルであるか判断する（ステップＳ３２）。そして、無料チャンネルでなければステップＳ３３に進み、無料チャンネルであればステップＳ３８に進む。
【００９５】
ステップＳ３３では、課金済みフラグテーブル２２３ａを参照して、受信チャンネルの課金済みフラグが“オン（ＯＮ）”に設定されているか判別し、“オン”に設定されていなければステップＳ３４に進み、“オン”に設定されていれば図１６のステップＳ４５に進む。
【００９６】
ステップＳ３４では、上記受信した課金承認ｂｉｔが“オン”に設定されているか判別し、“オン”に設定されていなければステップＳ３５に進み、“オン”に設定されていれば図１６のステップＳ４１に進む。
【００９７】
ステップＳ３５では、モニタ１０から「チャンネル情報」と「課金承認ｂｉｔ」を受信し、続いて、前回受信した受信チャンネルと今回受信したチャンネルを比較して、モニタ１０側でチャンネルが変更されたか判断する（ステップＳ３６）。そして、チャンネルの変更がなければステップＳ３７に進み、変更があればステップＳ３２に戻る。
【００９８】
ステップＳ３６でのチャンネル変更の判断は、選択中チャンネル情報２２３ｄに格納されているチャンネル情報と受信チャンネル情報２２３ｅに格納されているステップＳ３５で受信したチャンネル情報を比較することによって行われる。そして、両者が異なれば、チャンネルが変更されたと判断する。チャンネルが変更されたと判断した場合には、選択中チャンネル情報２２３ｄを受信チャンネル情報２２３ｅに書き換え、選択中チャンネル情報２２３ｄを更新する。この更新処理は、後述するステップＳ４０及びステップＳ４９においても行われる。このことにより、選択中チャンネル情報２２３ｄには、常に、ユーザーが選択した最新のチャンネル情報が格納される。
【００９９】
ステップＳ３７では、モニタ１０に対して“不可”に設定された視聴可否信号を送信し、ステップＳ３４に戻る。
このように，ユーザーが有料チャンネルを選択していても、課金機２０に有効カードを挿入しておらず、かつ、課金を承認していない場合には、ユーザーが課金を承認するか、またはユーザーがチャンネルを変更するまで、ステップＳ３４〜Ｓ３７の処理を繰り返し、モニタ１０に対して“不可”に設定された視聴可否信号を送り続ける。そして、ユーザーが課金を承認した場合にはステップＳ４１へ進み、ユーザーがチャンネルを変更した場合にはステップＳ３２に戻る。
【０１００】
ステップＳ３８では、“可”に設定された視聴可否信号をモニタ１０に送信する。続いて、モニタ１０から「チャンネル情報」と「課金承認ｂｉｔ」を受信し（ステップＳ３９）、そのチャンネル情報を基に、モニタ１０側でチャンネルが変更されたか判断する（ステップＳ４０）。そして、チャンネルが変更されていなければステップＳ３８に戻り、チャンネルが変更されていればステップＳ３２に戻る。
【０１０１】
このように、無料チャンネルが継続して選択されている間は、“可”に設定された視聴可否信号をモニタ１０に送りつづける。一方、無料チャンネルから別のチャンネルに変更された場合には、新たに選択されたチャンネルについて上述した処理を行う。
【０１０２】
ステップＳ４１では、課金機２０のカード挿入口２６にカードが未挿入であるか判断し、未挿入でなければステップＳ４２に進み、挿入されていればステップＳ５１に進む。
ステップＳ４２では、ＣＰＵ２１１がカードリーダライタ２３にリードコマンドを送って、カードリーダライタ２３からカードの課金度数を取得し、カードの課金度数が度数切れになっているか判別する。そして、度数切れでなければステップＳ４３に進み、度数切れであればステップＳ４９に進む。
【０１０３】
ステップＳ４３では、カードリーダライタ２３を介して課金機２０に装着されているカードの課金度数を減算し、続いて、課金済みフラグテーブル２２３ａの受信チャンネルの課金済みフラグを“オン（ＯＮ）”に設定する（ステップＳ４４）。
【０１０４】
ステップＳ４３でのカードの課金度数の減算処理は、ＣＰＵ２１１がチャンネル情報テーブル２２３ｂに設定されている課金度数を減算し、その算出結果（カードの残度数に等しい）を書込みデータとしてカードリーダライタ２３にライトコマンドを送信することによって行われる。カードリーダライタ２３は、上記ライトコマンドを受信すると、受信した上記書込みデータ（カードの残度数）を挿入されているカードに書き込む。
【０１０５】
次に、表示制御部２４を介して残度数表示部２５に課金機２０に装着されているカードの残度数（現在の課金度数）を表示する（ステップＳ４５）。次に、減算した課金度数に対応する視聴可能時間の測定を開始する（ステップＳ４６）。この時間の測定は、ハードウェアタイマ２２ａにより行われる。そして、“可”に設定された視聴可否信号をモニタ１０に送信する（ステップＳ４７）。
【０１０６】
続いて、モニタ１０から送信されてくる「チャンネル情報」と「課金承認ｂｉｔ」を受信し（ステップＳ４８）、その受信したチャンネル情報を参照して、モニタ１０でチャンネルが変更されたか判断する（ステップＳ４９）。そして、チャンネルが変更されていなければステップＳ５０に進み、チャンネルが変更されていればステップＳ３２に戻る。
【０１０７】
ステップＳ５０では、ステップＳ４６で開始した視聴可能時間が経過したか判断し、経過していればステップＳ４１に戻り、経過していなければステップＳ４７に戻る。
このように、有料チャンネルが選択されていて、かつ、課金承認ｂｉｔが“オン”に設定されており、かつ、課金機２０に有効カードが挿入されている場合には、ステップＳ４１〜Ｓ５０の処理を繰り返し、視聴可能時間が経過する毎に上記有効カードの課金度数を減算する。
【０１０８】
ステップＳ５１では、課金済みフラグテーブル２２３ａ内の現在選択されているチャンネルの課金済みフラグを“オフ（ＯＦＦ）”に設定し、ステップＳ３７に戻る。
このように、有料チャンネルが選択されており、かつ、課金済みフラグが“オン”になっていたとき、カードが取り出されるまたはカードの課金度数が度数切れとなった場合には、その有料チャンネルの課金済みフラグが“オフ”に設定される。
【０１０９】
また、有料チャンネルが選択されているが、まだ、その有料チャンネルの課金済みフラグが“オフ”であり、かつ、課金承認ｂｉｔが“オン”となっている場合であって、ユーザーは課金を承認したものの、まだ、課金機２０にカードが挿入されていないか、もしくは度数切れの無効カードが挿入されているときには、上記有料チャンネルの課金済みフラグは“オフ”のままとなる。
【０１１０】
以上説明したように、本実施形態では、モニタ１０が課金機２０に「現在選択されているチャンネルの情報（選択チャンネル情報１１３ｂ」と「ユーザーが有料チャンネルでの課金を承認したか否かの情報（課金承認ｂｉｔ１１３ｃ）」を送り、課金機２０では、モニタ１０から送られてくる上記情報を基にして、有料チャンネルモニタ１０で有料チャンネルが選択されている場合には、課金機２０のカード挿入口２６に有効カードが挿入されているか監視し、有効カードが挿入されている場合にのみ、ユーザーに有料チャンネルでの視聴を許可してよい旨を「視聴可否信号」によりモニタ１０に通知する。
【０１１１】
したがって、ユーザーによる有料チャンネルの無料視聴を防止できる。また、ユーザーが有料チャンネルを選択した場合には、「課金確認画面」をモニタ１０の表示部１２に表示して、ユーザーに課金してもよいかどうかの意思確認を行うので、ユーザーが有料チャンネルとは知らずに有料チャンネルを視聴してしまう事態を防止できる。また、ユーザーの有料チャンネルの視聴意思確認後に、ユーザーが課金機２０に有効カードを挿入していない場合には、ユーザーにその確認を促す「カード挿入画面」をモニタ１０の表示部１２に表示するので、ユーザーの不注意を防止できる。
【０１１２】
本実施形態ではモニタ１０とリモコン３０がケーブルで接続されているが、モニタとリモコンが無線で通信できるような構成にしてもよい。
本実施形態では、有料チャンネルを視聴可能な度数を記憶する手段としてプリペイドカードを使用しているが、有料チャンネルを視聴可能な度数を記憶する手段を課金機内部に設けるような構成にしてもよい。また、本実施形態ではモニタ１０とリモコン３０がケーブルで接続されているが、モニタとリモコンが無線で通信できるような構成にしてもよい。
【図面の簡単な説明】
【０１１３】
【図１】本発明の実施形態のシステム構成を示すブロック図である。
【図２】（a）はモニタから課金機に送信される制御信号、（ｂ）は課金機かモニタに送信される制御信号を示す図である。
【図３】モニタの表示部のハードウェア構成を示すブロック図である。
【図４】モニタのＲＡＭに設けられるチャンネル情報テーブルの構成図である。
【図５】課金機の課金制御部のハードウェア構成を示すブロック図である。
【図６】課金機のＲＡＭに設けられる課金済みフラグテーブルの構成図である。
【図７】課金機のＲＡＭに設けられるチャンネル情報テーブルの構成図である。
【図８】モニタの外観図である。
【図９】リモコンの外観図である。
【図１０】課金機の第一の外観図（横置きタイプ）である。
【図１１】課金機の第二の外観図（縦置きタイプ）である。
【図１２】モニタで行われる処理の要部を示すフローチャートである。
【図１３】モニタで行われる繰り返し処理を示すフローチャートである。
【図１４】（ａ）は課金確認画面を示す図、（ｂ）はカード挿入画面を示す図である。
【図１５】課金機で行われる処理を示すフローチャート（その１）である。
【図１６】課金機で行われる処理を示すフローチャート（その２）である。
【符号の説明】
【０１１４】
１０  モニタ
１１  表示制御部
１２  表示部
１３  ＩＦ制御部
１４  電源スイッチ
１５  入力切換スイッチ
１６  映像信号入力端子
１７  課金機用インターフェース
１８  リモコン用インターフェース
２０  課金機
２１  通信ＩＦ制御部
２２  課金制御部
２３  カードリーダライタ
２４  表示制御部
２５  残度数表示部
２２ａ  ハードウェアタイマ
２７  モニタ用インターフェース
２９  カード取り出しスイッチ
３０  リモコン
３１  モニタ電源ボタン
３２  入力切換ボタン
３３  カーソルボタン群
３４  チャンネルボタン
３４ｕ  チャンネルアップボタン
３４ｄ  チャンネルダウンボタン
３５  音量ボタン
３５ｕ  音量アップボタン
３５ｄ  音量ダウンボタン
３６  Ｆ１ボタン
３７  Ｆ２ボタン
４０  制御信号線
６０  課金確認画面
７０  カード挿入画面
１１１  ＣＰＵ
１１２  ＲＯＭ
１１２ａ  ファームウェア
１１３  ＲＡＭ
１１３ａ  表示可否フラグ
１１３ｂ  選択チャンネル情報
１１３ｃ  課金承認ｂｉｔ
１１３ｄ  チャンネル情報テーブル
１１４  映像処理部
２２１  ＣＰＵ
２２２  ＲＯＭ
２２３  ＲＡＭ
２２３ａ  ファームウェア
２２３ｂ  チャンネル情報テーブル
２２３ｃ  カード残度数
２２３ｄ  選択中チャンネル情報
２２３ｅ  受信チャンネル情報
【図２】
2006325042.tif 000003
【図４】
2006325042.tif 000004
【図６】
2006325042.tif 000005
【図７】
2006325042.tif 000006
【図８】
2006325042.tif 000007
【図１２】
2006325042.tif 000008
【図１３】
2006325042.tif 000009
【図１４】
2006325042.tif 000010
【図１５】
2006325042.tif 000011
【図１６】
2006325042.tif 000012
【図１】
2006325042.tif 000013
【図３】
2006325042.tif 000014
【図５】
2006325042.tif 000015
【図９】
2006325042.tif 000016
【図１０】
2006325042.tif 000017
【図１１】
2006325042.tif 000018